(57)【要約】      （修正有）【課題】中空糸膜の耐久性を試験できる試験器の提供。【解決手段】基板１０上に第１治具２１、第２治具２２およびアクチュエータ３０が配置された中空糸膜５０の耐久性試験器であって、第１治具２１と第２治具２２が中空糸膜５０の両端を固定するためのものであり、中空糸膜５０として両端が接着剤で固定されているものを使用して、アクチュエータ３０が、中空糸膜５０の長さ方向中間部を挟んで保持できる保持部３１を有しており、第１治具２１と第２治具２２の中間位置に配置され、第１治具２１と第２治具２２を結ぶ線に直交する方向に所定範囲で往復移動可能なものである、中空糸膜５０モジュールにおける中空糸膜５０の耐久性試験器１。第１治具２１と第２治具２２の間隔を３００〜１０００ｍｍの間で調節でき、アークチュータ３０が１０〜４００ｍｍの間変えることのできる中空糸膜耐久試【選択図】図１
2018089563.tif 000002
【特許請求の範囲】
【請求項１】
基板上に第１治具、第２治具およびアクチュエータが配置された中空糸膜の耐久性試験器であって、
前記中空糸膜として両端が接着剤で固定されているものを使用し、
前記第１治具と前記第２治具が中空糸膜両端の接着剤固定部を固定するためのものであり、
前記アクチュエータが、前記中空糸膜の長さ方向中間部を挟んで保持できる保持部を有しており、前記第１治具と前記第２治具の中間位置に配置され、前記第１治具と前記第２治具を結ぶ線に直交する方向に所定範囲で往復移動可能なものである、中空糸膜モジュールにおける中空糸膜の耐久性試験器。
【請求項２】
前記第１治具と前記第２治具の間隔が３００〜１０００ｍｍの間で変えることができ、前記アクチュエータの往復移動可能距離が１０〜４００ｍｍの間で変えることができるものである、請求項１記載の中空糸膜モジュールにおける中空糸膜の耐久性試験器。
【請求項３】
前記第１治具が、前記基板上に配置された第１高さ調整台の上に固定されており、前記第２治具が、前記基板上に配置された第２高さ調整台の上に固定されている、請求項１または２記載の中空糸膜モジュールにおける中空糸膜の耐久性試験器。
【請求項４】
請求項１〜３のいずれか１項記載の中空糸膜の耐久性試験器を使用した中空糸膜モジュールにおける中空糸膜の耐久性試験方法であって、
前記中空糸膜の両端を接着剤で固定する手順１、
前記第１治具と前記第２治具の間に中空糸膜両端の接着剤固定部を固定する手順２、
前記アクチュエータの中空糸膜保持部により前記中空糸膜の長さ方向の中間部を保持する手順３、
前記いずれか一方の中空糸膜端部と前記接着剤固定部の境界部分が断線するまで前記アクチュエータを片側方向にのみ移動させて断線する最小距離（Ｓ）を求める手順４、
前記手順１〜手順３を繰り返して前記アクチュエータの中空糸膜保持部により前記中空糸膜の長さ方向の中間部を保持した後、片側方向への移動距離（Ｓ１）を最小距離Ｓ未満として、前記いずれか一方の中空糸膜端部と前記接着剤固定部の境界部分が断線するまでアクチュエータを往復移動させることで、断線するまでの往復回数を求める手順５を有している、中空糸膜モジュールにおける中空糸膜の耐久性試験方法。
【請求項５】
さらに前記手順５で実施した片側方向への移動距離（Ｓ１）よりも短い片側移動距離を１または複数選択して、断線するまでの往復回数を求める手順５を繰り返す、請求項４記載の中空糸膜の耐久性試験器。
【請求項６】
前記手順２において、前記中空糸膜として、２〜１０本が水平方向に間隔をおいてそれぞれの両端部が同じ接着剤で固定されているものを使用し、
前記手順５において、前記全ての中空糸膜について、いずれか一方の中空糸膜端部と前記接着剤固定部の境界部分が断線するまでの往復回数の平均を求める、請求項４または５記載の中空糸膜モジュールにおける中空糸膜の耐久性試験方法。
【発明の詳細な説明】
【技術分野】
【０００１】
本発明は、中空糸膜の耐久性試験器と中空糸膜モジュールにおける中空糸膜の耐久性試験方法に関する。
【背景技術】
【０００２】
各種分野における水処理装置として、ケースハウジンング内に中空糸膜束が収容された中空糸膜モジュールが汎用されている。
中空糸膜モジュールを使用した濾過運転および中空糸膜の洗浄運転中、液流による水圧を受けて中空糸膜は長さ方向と直交する方向に揺れ動くことになる。このとき、特に中空糸膜両端部の接着剤で固定された部分と中空糸膜の境界部分に大きな力が加えられるため、前記境界部分からの断線を含む損傷が多くなる（特許文献１〜５）。
このため、中空糸膜モジュールを使用して濾過運転を継続する過程で断線が多く発生した場合には、水処理効果に大きな影響が及ぶことになる。
【先行技術文献】
【特許文献】
【０００３】
【特許文献１】特開２００５−８８００８号公報
【特許文献２】特開平９−２４２５３号公報
【特許文献３】特許第４３５１７５３号公報
【特許文献４】特開平６−３４１号公報
【特許文献５】第２５２９７２６号公報
【発明の概要】
【発明が解決しようとする課題】
【０００４】
本発明は、中空糸膜モジュールを設計する際に中空糸膜の耐久性を高めるように設計するための試験データを取ることができる中空糸膜の耐久性試験器と、それを使用した中空糸膜モジュールにおける中空糸膜の耐久性試験方法を提供することを課題とする。
【課題を解決するための手段】
【０００５】
本発明は、基板上に第１治具、第２治具およびアクチュエータが配置された中空糸膜の耐久性試験器であって、
前記中空糸膜として両端が接着剤で固定されているものを使用し、
前記第１治具と前記第２治具が中空糸膜両端の接着剤固定部を固定するためのものであり、
前記アクチュエータが、前記中空糸膜の長さ方向中間部を挟んで保持できる保持部を有しており、前記第１治具と前記第２治具の中間位置に配置され、前記第１治具と前記第２治具を結ぶ線に直交する方向に所定範囲で往復移動可能なものである、中空糸膜モジュールにおける中空糸膜の耐久性試験器を提供する。
【０００６】
また本発明は、上記の中空糸膜の耐久性試験器を使用した中空糸膜モジュールにおける中空糸膜の耐久性試験方法であって、
前記中空糸膜の両端を接着剤で固定する手順１、
前記第１治具と前記第２治具の間に中空糸膜両端の接着剤固定部を固定する手順２、
前記アクチュエータの中空糸膜保持部により前記中空糸膜の長さ方向の中間部を保持する手順３、
前記いずれか一方の中空糸膜端部と前記接着剤固定部の境界部分が断線するまで前記アクチュエータを片側方向にのみ移動させて断線する最小距離（Ｓ）を求める手順４、
前記手順１〜手順３を繰り返して前記アクチュエータの中空糸膜保持部により前記中空糸膜の長さ方向の中間部を保持した後、片側方向への移動距離（Ｓ１）を最小距離Ｓ未満として、前記いずれか一方の中空糸膜端部と前記接着剤固定部の境界部分が断線するまでアクチュエータを往復移動させることで、断線するまでの往復回数を求める手順５を有している、中空糸膜モジュールにおける中空糸膜の耐久性試験方法を提供する。
【発明の効果】
【０００７】
本発明の中空糸膜の耐久性試験器を使用した中空糸膜の耐久性試験方法によれば、得られた試験データにより中空糸膜の耐久性を高めるような中空糸膜を設計することができるようになる。このため、中空糸膜モジュールの濾過運転時における中空糸膜の断線が抑制できるようになる。
【図面の簡単な説明】
【０００８】
【図１】本発明の中空糸膜の耐久性試験器の平面図。
【図２】図１の一側面図。
【図３】耐久性試験方法の説明図。
【図４】中空糸膜モジュールの軸方向の部分断面図。
【図５】実施例１〜３における移動距離Ｓ１と往復回数の関係を示したグラフ。
【発明を実施するための形態】
【０００９】
＜中空糸膜の耐久性試験器＞
中空糸膜の耐久性試験器１は、基板１０上に第１治具２１、第２治具２２、アクチュエータ３０が配置されている。基板１は、金属、合成樹脂などからなるものであり、必要に応じて作業台などに固定することができる。また基板１０は、取り扱い易くするため、分割したり、組み立てたりできるようにすることもできる。
中空糸膜の耐久性試験器１で試験する中空糸膜５０は、両端が接着剤で固定されているものを使用する。図１では、中空糸膜５０の両端が第１接着剤固定部５１と第２接着剤固定部５２で固定された状態が示されている。
【００１０】
第１治具２１と第２治具２２は、基板１０上に間隔をおいて配置されている。
第１治具２１と第２治具２２は、中空糸膜５０の両端（第１接着剤固定部５１と第２接着剤固定部５２）を固定するためのものである。
図１に示す実施形態では、第１治具２１は基板１０上に配置された第１高さ調整台２の上に取り付けられており、第２治具２２は基板１０上に配置された第２高さ調整台３の上に取り付けられている。
第１高さ調整台２と第２高さ調整台３は、基板１０からの高さを調整できると共に、互いの間隔を近づけたり、遠ざけたりできるように移動可能に取り付けられている。
第１治具２１と第２治具２２の間隔（Ｌ１）は、３００〜１０００ｍｍの間で調整できることが好ましい。前記間隔は、中空糸膜モジュール内に収容された中空糸膜（中空糸膜束）の長さ（接着剤で固定されていない部分の長さ）に相当するものである。
【００１１】
アクチュエータ３０は、中空糸膜５０の長さ方向中間部を挟んで保持できる保持部３１を有している。
アクチュエータ３０は、基板１０上の第１治具２１と第２治具２２の中間位置に配置されており、第１治具２１と第２治具２２を結ぶ線に直交する方向に所定範囲で往復移動可能なものである。
アクチュエータ３０の往復移動可能距離は１０〜４００ｍｍの間で調整できることが好ましい。前記往復移動可能距離（Ｌ２）は、中空糸膜モジュール内に収容された中空糸膜束の長さ方向の中間部が濾過運転時などにおいて揺れ動くときの中空糸膜モジュール横断面内で動きうる最大揺れ幅（中空糸膜束の中心とケースハウジンングの内壁面の間の間隔であり、図４中のｗ１）に相当するものである。
アクチュエータ３０は、基板１０から離れて設置されたコントローラ４０と電気的に接続されている。
【００１２】
＜中空糸膜モジュールにおける中空糸膜の耐久性試験方法＞
本発明は、上記した中空糸膜の耐久性試験器１を使用した中空糸膜モジュールにおける中空糸膜の耐久性試験方法である。
本発明の試験方法を適用できる中空糸膜モジュールは、１本ずつの中空糸膜が多数本組み合わされた中空糸膜束の両端部が接着剤で固定されたもののほか、例えば特開平６−３４１号公報のように中空糸膜の一端部側がＵ字状に折り曲げられたものが多数本組み合わせ中空糸膜束の両端部が接着剤で固定されたものも含まれる。
【００１３】
（手順１）
耐久性試験方法の手順１において、中空糸膜の両端を接着剤で固定する。
手順１で使用する固定前の中空糸膜の長さは、第１治具２１と第２治具２２の間隔（Ｌ１）に両端の固定部分の長さを加えた長さである。
例えば、第１治具２１と第２治具２２の間隔Ｌ１が５００ｍｍであるときは、手順１で使用する中空糸膜長さは５２０〜５６０ｍｍ程度にすることができる。
なお、上記した特開平６−３４１号公報のように中空糸膜の一端部側がＵ字状に折り曲げられた中空糸膜モジュールに対応するように、中空糸膜の一端部側がＵ字状に折り曲げられた状態で両端部を接着剤で固定することもできる。
【００１４】
手順１の中空糸膜は、中空糸膜モジュールを使用する実施形態に応じて、中空糸膜端部と接着剤固定部との境界部を、水、有機物および／または無機物を含む液体、プロセス水から選択される液体を接触させたものを使用することができる。
例えば、実際に中空糸膜モジュールにより水道水や河川水を処理するときは、中空糸膜端部と接着剤固定部との境界部を前記水道水や前記河川水を連続的に点滴するなどの方法で湿潤させた状態で試験することで、より実用時に近い試験データを得ることができる。
また、アクチュエータなどの駆動部を防水仕様にして、第１治具、第２治具およびアクチュエータが配置された基板を水槽に入れ、両端が接着剤で固定されている中空糸膜を水中で固定した状態で、水中で試験することで、更に実用時に近い試験データを得ることができる。
また手順１の中空糸膜は、中空糸膜モジュールを使用する実施形態に応じて、予め被処理水、熱、薬液、紫外線、電子線、可視光およびこれらの２種以上の組み合わせとの接触および暴露履歴を受けたものを使用することができる。
例えば、実際に中空糸膜モジュールにより処理する被処理水が海水であったり、被処理水が高温であったりするときは、予め中空糸膜を海水や熱水に浸漬したものを使用することで、より実用時に近い試験データを得ることができる。
【００１５】
手順１で使用する中空糸膜の本数は、１本でもよいが、試験精度を高める点から２〜１０本が好ましく、さらに取り扱い易さも考慮すると３〜６本がより好ましい。
手順１において複数本の中空糸膜を使用するときは、複数本の中空糸膜を水平方向に等間隔をおいた状態にて、それぞれの両端部を同じ接着剤で固定する。
図１により説明すると、水平方向に等間隔をおいて配置された３本の中空糸膜５０の３本分の両端部を第１接着剤固定部５１と第２接着剤固定部５２で固定する。
中空糸膜５０の両端部を接着剤で固定するときは、所定の型枠内に中空糸膜５０の端部を入れた後、前記型枠内にウレタン樹脂やエポキシ樹脂などの接着樹脂を注入して硬化させる方法を適用できる。
【００１６】
（手順２）
耐久性試験方法の手順２においては、第１治具２１に中空糸膜５０の両端の第１接着剤固定部５１を固定し、第２治具２２に中空糸膜５０の第２接着剤固定部５２を固定する。
第１治具２１と第２治具２２による中空糸膜５０の両端部の固定方法は特に制限されるものではなく、バネによる固定、締め付けによる固定などを使用することができる。
手順１と手順２は、一連の一つの手順として実施することもできる。
【００１７】
（手順３）
耐久性試験方法の手順３において、アクチュエータ３０の中空糸膜保持部３１により中空糸膜５０の長さ方向の中間部を保持する。
中空糸膜５０の長さ方向の中間部は第１治具２１と第２治具２２の中間部であるから、第１治具２１と第２治具２２の間隔Ｌ１が５００ｍｍであるときは、いずれかから２５０ｍｍの長さ位置を保持する。
【００１８】
（手順４）
耐久性試験方法の手順４において、いずれか一方の中空糸膜端部と接着剤固定部の境界部分が断線するまでアクチュエータ３０を片側方向にのみ移動させて断線する最小距離（Ｓ）を求める。
図１において、例えばＸ１方向にのみアクチュエータ３０を移動させて、中空糸膜５０と第１接着剤固定部５１との境界部５０ａ、または中空糸膜５０と第２接着剤固定部５２との境界部５０ｂのいずれか一方が断線する最小距離（Ｓ）を求める。
例えば、３本の中空糸膜５０を使用してアクチュエータ３０をＸ１方向に移動させたとき、１本が４０ｍｍで断線し、もう１本が４５ｍｍで断線し、最後の１本が５０ｍｍで断線したときの最小距離Ｓは４０ｍｍである。
【００１９】
（手順５）
耐久性試験方法の手順５において、手順１〜手順３を繰り返してアクチュエータ３０の中空糸膜保持部３１により中空糸膜５０の長さ方向の中間部を保持した後、片側方向への移動距離を最小距離Ｓ未満として、いずれか一方の中空糸膜端部と接着剤固定部の境界部分５０ａ、５０ｂが断線するまでアクチュエータ３０を往復移動させることで、断線するまでの往復回数を求める。
アクチュエータ３０は中空糸膜５０の中間部分を保持した状態で、片側方向への移動距離（Ｓ１）を最小距離Ｓ未満として、Ｘ１方向とＸ２方向に往復移動させる（図３参照）。
手順４で求めた最小距離Ｓが４０ｍｍであると、移動距離Ｓ１は片側方向に４０ｍｍ未満、例えば片側に３０〜３５ｍｍで、両側に６０〜７０ｍｍになるように往復移動させて、中空糸膜５０と第１接着剤固定部５１との境界部５０ａ、または中空糸膜５０と第２接着剤固定部５２との境界部５０ｂのいずれか一方で断線するまでの往復回数を求める。
往復回数であるから、一往復で１回である。但し、例えば１１．５回などの端数は整数に切り上げ１２回とする。また、中空糸膜５０を複数本使用したときは、平均往復回数である。
【００２０】
手順５により求められた断線までの平均往復回数が１００回や１０００回程度であれば、明らかに片側方向への移動距離Ｓ１が過大であったことになるから、距離Ｓ１よりも短い片側移動距離を１または複数選択して、断線するまでの往復回数を求める手順５を繰り返す。
例えば、手順５で片側方向への移動距離Ｓ１が３５ｍｍであれば、今度は移動距離Ｓ１を３０ｍｍにして手順５を繰り返す。その結果、断線までの平均往復回数が１万回程度であれば、今度は移動距離Ｓ１をさらに短くして手順５を繰り返す。
手順５において求められる断線するまでの平均往復回数は、中空糸膜モジュールを使用して濾過運転するときの中空糸膜の耐久性の目安となるものであり、前記断線するまでの平均往復回数が２万回以上であることが好ましく、５万回以上であることがより好ましい。
例えば、移動距離Ｓ１＝２０ｍｍのときの断線までの平均往復回数が５万回であった場合には、図３に示すとおり、中空糸膜５０はＸ１方向に２０ｍｍ、Ｘ２方向に２０ｍｍだけ５万回往復移動した後で断線したことになるから、十分な耐久性を有していると評価できる。
【００２１】
このような往復回数と移動距離Ｓ１の関係は、次のように説明することもできる。
縦軸が移動距離Ｓ１、横軸が往復回数として、移動距離Ｓ１を少しずつ小さくしていくと往復回数は増加していくから、移動距離Ｓ１の変化に対応した断線までの往復回数をプロットする。これらの各プロットを結ぶ曲線を作成したとき、移動距離Ｓ１がある程度小さくなると往復回数の増加による移動距離Ｓ１の変化がごく小さくなって直線状になる（漸近線）。
このように漸近線になったときの移動距離Ｓ１以下にすれば、中空糸膜は断線し難いことになる。
なお、移動距離Ｓ１に相当する応力を縦軸にすれば、断線し難い応力を求めることもできる。
中空糸膜モジュールにおける濾過運転条件が同じであれば、処理する液体が水道水や河川水などの相対的に比重の小さい液体の場合では、中空糸膜に加えられる液圧も小さくなるため、移動距離Ｓ１は相対的に大きくすることができ、海水、排水などの相対的に比重の大きい液体の場合には、中空糸膜に加えられる液圧も大きくなるため、移動距離Ｓ１は相対的に小さくすることができる。
【００２２】
図３に示す状態を中空糸膜モジュールに置き換えた形態を図４により説明する。
図４の中空糸膜モジュール６０は、筒状のケースハウジンング６１内に中空糸膜束６２が収容されている形態である。
中空糸膜束６２の一端部側は接着部６３で一体化され、ケースハウジンング６１の内壁面６１ａに対して固定されている。
中空糸膜モジュール６０を濾過運転に使用したときは、中空糸膜束６２は長さに直交する方向に揺れ動くことになり、そのときの中空糸膜モジュール横断面内で動きうる最大揺れ幅がｗ１となる。
上記したとおり、例えば、長さ５００ｍｍの中空糸膜を使用したとき、移動距離Ｓ１＝２０ｍｍのときの断線までの平均往復回数が５万回以上であった場合には、中空糸膜モジュール６０の間隔ｗ１（即ち、移動距離Ｓ１）を２０ｍｍ以下にすれば、中空糸膜束６２と接着部６３の境界部から断線し難くなることになる。
このため、中空糸膜の耐久性試験方法の試験結果から、ケースハウジング６１の内径ｄ１を調整することで中空糸膜が断線し難い中空糸膜モジュール６０を設計することができるようになる。
【実施例】
【００２３】
中空糸膜材料の製造例１
アセチル置換度が２．４４の二酢酸セルロース１００ｇ（グルコース骨格換算０．３７５モル）（株式会社ダイセル製）をDMSO（Ｎ，Ｎ−ジメチルスルホキシド）溶解し、塩化ベンゾイル３９ｇ（０．２８モル）と反応させ、セルロースアセテートベンゾエート１２２ｇを得た。ベンゾイル基の置換度は０．５６であった。
置換度は、1Ｈ−ＮＭＲ及び13Ｃ−ＮＭＲにより確認した。
【００２４】
（中空糸膜を固定するための接着剤）
主剤と硬化剤からなるポリウレタン系接着剤。
主剤：ヒマシ油変性ジフェニルメタンジイソシアネートプレポリマー。主剤のイソシアネート基含有量は２１．０質量％、２５℃における粘度は３４００ｍＰａ・ｓ。
硬化剤ポリオール；ヒマシ油系変性ポリオール）
ヒマシ油のトリメチロールプロパン変性体「＃１２９７Ｘ（商品名）」（伊藤製油（株）製）、平均官能基数＝３．０、水酸基価＝３４０（ｍｇＫＯＨ／ｇ）、トリメチロールアルカンヒマシ油脂肪酸モノエステルの数平均分子量（Ｍｎ）を４５０とした場合におけるＧＰＣ測定値：Ｍｎ＝４５０以上のピーク面積比８８％：Ｍｗ／Ｍｎ＝１．４２。
【００２５】
実施例１
（手順１〜３）
三酢酸セルロース（株式会社ダイセル製）の中空糸膜（内径／外径＝0.8／1.3mm）、上記ポリウレタン接着剤の主剤と硬化剤を用いて、耐久試験のための評価用サンプルを５個作製した。
３本の中空糸膜を互いの間隔が３ｍｍになるように並べた状態で、それぞれの両端を二つの型枠内に入れた。両側に配置された二つの型枠の間隔は５００ｍｍであった。
二つの型枠内に４５℃に保ったポリウレタン接着剤の主剤と硬化剤を均一混合した液を流し込み、室温下で２４時間保持して、合計で５個の評価用サンプルを得た。
ポリウレタン接着剤による固定部（図１の第１接着剤固定部５１と第２接着剤固定部５２）は、直径２０ｍｍ、長さ３０ｍｍの円筒状のものである。
【００２６】
手順４、５は、図１により説明する。
（手順４）
図１に示す基板１０（700mm×900mm）上の第１治具２１と第２治具２２の間隔（Ｌ１）を５００ｍｍにセットして、第１治具２１により第１接着剤固定部５１を固定し、第２治具２２により第２接着剤固定部５２を固定した。このとき、中空糸膜５０の中間部（一方から２５０ｍｍの位置）をアクチュエータ３０の保持部３１で保持した。
この状態でアクチュエータ３０を３本の中空糸膜５０全部が断線するまでＸ１方向に移動させた。その結果、３本はいずれも６０ｍｍ移動したときに断線した（表１中の往復回数１回）。断線するまでの最小距離Ｓは６０ｍｍであった。
【００２７】
（手順５）
手順１で作製した別の評価用サンプルを手順２、３と同様にして、耐久性試験器１にセットした。
片側方向への移動距離（Ｓ１）を５０ｍｍ、往復移動距離を１００ｍｍとして、アクチュエータ３０を往復移動させた。その結果、３本の中空糸膜は、それぞれ２９回、１２回、６回の往復移動回数で境界部５０ａまたは境界部５０ｂが断線した。
【００２８】
その後、手順１で作製した別の評価用サンプルを手順２、３と同様にして、耐久性試験器１にセットした。
その後、片側方向への移動距離（Ｓ１）を４０ｍｍ、往復移動距離を８０ｍｍとして、アクチュエータ３０を往復移動させた。３本の中空糸膜は、それぞれ表１に示す往復回数で境界部５０ａまたは境界部５０ｂが断線した。平均往復回数は約７７２回であった。
その後、手順１で作製した別の評価用サンプルを手順２、３と同様にして、耐久性試験器１にセットした。
その後、片側方向への移動距離（Ｓ１）を３０ｍｍ、往復移動距離を６０ｍｍとして、アクチュエータ３０を往復移動させた。３本の中空糸膜は、それぞれ表１に示す往復回数で境界部５０ａまたは境界部５０ｂが断線した。平均往復回数は約２３，５１８回であった。
【００２９】
表１および図５に示す結果から、中空糸膜モジュールにおいて中空糸膜束の両端を接着剤で固定した場合の中空糸膜長さ（接着剤で固定されていない中空糸膜の長さ）が５００ｍｍであるとき、図４に示すｗ１が３０ｍｍになるようにすることで、中空糸膜モジュールを濾過運転したときの液流の圧力を受けたときでも、中空糸膜が断線し難くなることが分かった。
【００３０】
実施例２
製造例１で得たセルロースアセテートベンゾエート（ＣＡＢｚ）の中空糸膜を使用して、実施例１の手順１〜手順４と同様にした。
手順４による断線するまでの最小距離Ｓは４５ｍｍであった（表１中の往復回数１回）。
手順５は、片側への移動距離（Ｓ１）を３０ｍｍおよび２０ｍｍに変化させて試験した。
その結果、Ｓ１＝３０ｍｍのときの３本の中空糸膜の断線までの往復回数、およびＳ１＝２０ｍｍのときの３本の中空糸膜の断線までの往復回数は、表１に示すとおりであった。
表１に示す結果から、中空糸膜モジュールにおいて中空糸膜束の両端を接着剤で固定した場合の中空糸膜長さ（接着剤で固定されていない中空糸膜の長さ）が５００ｍｍであるとき、図４に示すｗ１が２０ｍｍになるようにすることで、中空糸膜モジュールを濾過運転したときの液流の圧力を受けたときでも、中空糸膜が断線し難くなることが分かった。
【００３１】
実施例３
実施例２で使用した製造例１のセルロースアセテートベンゾエート（ＣＡＢｚ）の中空糸膜を1000ppmの次亜塩素酸ソーダ水溶液に２８日間浸漬したものを使用した以外は、実施例１の手順１〜５と同様に実施した。
３本の中空糸膜は、片側方向への移動距離（Ｓ１）２０ｍｍ、往復移動距離を４０ｍｍにて、それぞれ表１に示す往復回数で断線した。平均往復回数は約１２，０００回であった。
【００３２】
表１および図５に示す結果から、中空糸膜モジュールにおいて中空糸膜束の両端を接着剤で固定した場合の中空糸膜長さ（接着剤で固定されていない中空糸膜の長さ）が５００ｍｍであるとき、塩素含有量の高い被処理水を処理するときは、図４に示すｗ１が２０ｍｍ以下になるようにした上で、通常より早めに中空糸膜を交換する必要があることが分かった。
また、実施例１で使用した三酢酸セルロースの中空糸膜を1000ppmの次亜塩素酸ソーダ水溶液に２８日間浸漬したものは指で触れると断線する程脆くなっており、製造例１のセルロースアセテートベンゾエート（ＣＡＢｚ）の中空糸膜の方が次亜塩素酸ソーダ水溶液に対する耐久性に優れることが本発明によって明示できた。
【００３３】
【表１】
2018089563.tif 000003
【産業上の利用可能性】
【００３４】
本発明の中空糸膜の耐久性試験器と中空糸膜の耐久性試験方法は、中空糸膜自体の耐久性を試験することに利用できると共に、中空糸膜を使用する中空糸膜モジュールの設計に利用することができる。
【符号の説明】
【００３５】
１  中空糸膜の耐久性試験器
１０  基板
２１  第１治具
２２  第２治具
３０  アクチュエータ
５０  中空糸膜
５１  第１接着剤固定部
５２  第２接着剤固定部
【図１】
2018089563.tif 000004
【図２】
2018089563.tif 000005
【図３】
2018089563.tif 000006
【図４】
2018089563.tif 000007
【図５】
2018089563.tif 000008